(57)【要約】【課題】折り畳み扁平状とすることができ、占拠する空間を大幅に縮小可能であるため、受け取り、保管、輸送に有利で、展開し箱体を直立させることができ、物品を収納可能な収納箱体となる折畳み可能な収納装置の提供。【解決手段】底板、頂点板、左側板、右側板を含む。該各板面は可動軸により方形筒体に接続される。内、任意の２個の接続板面には凸ブロックと嵌槽設計をそれぞれ設置し、これにより直立状体である時、該各凸ブロックにより対応する該各嵌槽内に嵌入する。こうして相互に接続する板面は嵌合定位の作用を生じる。【選択図】図１
2009120250.tif 000002
【特許請求の範囲】
【請求項１】
折畳み可能な収納装置は底板、頂点板、左側板、右側板を含み、
該底板の頂点面の左、右両端には凸壁をそれぞれ設置し、該２個の凸壁には少なくとも１個の欠口を設置し、該欠口内には環状体を設置し、該環状体の中央は前後に貫通する孔で、該２個の凸壁の前縁には上方へと突出するＴ型凸ブロックをそれぞれ設置し、
該頂点板の底面の左、右両端には凸壁をそれぞれ設置し、該２個の凸壁は少なくとも１個の欠口を設置し、該欠口内には環状体を設置し、該環状体の中央は前後に貫通する孔で、該２個の凸壁の前縁には下方へと突出する逆Ｔ型凸ブロックをそれぞれ設置し、
該左側板上端が対応する該頂点板左側凸壁の欠口位置には、前後に延伸する軸棒を設置し、該軸棒は該欠口内の環状体中央の孔を貫通し、しかも該環状体に相対し前後移動を行い、該左側板下端が対応する該底板左側凸壁の欠口位置には、前後に延伸する軸棒を設置し、該軸棒は該欠口内の環状体中央の孔を貫通し、しかも該環状体に相対し前後移動を行い、該左側板は上下端の軸棒を軸心とし転動可能で、該左側板前端面の上端には逆Ｔ型の嵌槽を設置し、下端にはＴ型嵌槽を設置し、該左側板上端の逆Ｔ型嵌槽には、該頂点板左側の逆Ｔ型凸ブロックが嵌入し、下端の逆Ｔ型嵌槽には該底板左側のＴ型凸ブロックが嵌入し、
該右側板上端が対応する該頂点板右側凸壁の欠口位置には、前後に延伸する軸棒を設置し、該軸棒は該欠口内の環状体中央の孔を貫通し、しかも該環状体に相対し前後移動を行い、該右側板下端が対応する該底板右側凸壁の欠口位置には、前後に延伸する軸棒を設置し、該軸棒は該欠口内の環状体中央の孔を貫通し、しかも該環状体に相対し前後移動を行い、該右側板は上下端の軸棒を軸心とし転動可能で、該右側板前端面の上端には逆Ｔ型の嵌槽を設置し、下端にはＴ型嵌槽を設置し、該右側板上端の逆Ｔ型嵌槽には該頂点板右側の逆Ｔ型凸ブロックが嵌入し、下端のＴ型嵌槽には該底板右側のＴ型凸ブロックが嵌入することを特徴とする折畳み可能な収納装置。
【請求項２】
請求項１記載の折畳み可能な収納装置において、前記底板後端面の左、右両端にはそれぞれ逆Ｔ型嵌槽を設置し、該左、右側板の下端後縁には相互に対応し下方へと突出する逆Ｔ型凸ブロックをそれぞれ設置し、該左、右側板上の逆Ｔ型凸ブロックは該底板左、右の逆Ｔ型嵌槽内にそれぞれ嵌入することを特徴とする折畳み可能な収納装置。
【請求項３】
請求項１記載の折畳み可能な収納装置において、前記頂点板後端面の左、右両端にはそれぞれＴ型嵌槽を設置し、該左、右側板の上端後縁には相互に対応し上方へと突出するＴ型凸ブロックをそれぞれ設置し、該左、右側板上のＴ型凸ブロックは該頂点板左、右のＴ型嵌槽内にそれぞれ嵌入することを特徴とする折畳み可能な収納装置。
【請求項４】
請求項１記載の折畳み可能な収納装置において、前記底板、該頂点板上の各環状体上には破口をそれぞれ設置し、これにより該各環状体中央の孔と外界は連通し、該左、右側板上の各軸棒上にはサイズがより小さな扁平部をそれぞれ設置し、該扁平部は対応する環状体の破口により導入され、これにより該各軸棒は対応する環状体の孔を貫通することを特徴とする折畳み可能な収納装置。
【請求項５】
請求項１記載の折畳み可能な収納装置において、前記底板右端の凸壁は左端の凸壁よりやや高く、該頂点板右端の凸壁は左端の凸壁よりやや低く、該左側板と右側板の高さは相同で、しかも底板、頂点板、左側板、右側板の４個の可動接続軸心を連結し、平行四辺形の４個の頂点を形成することを特徴とする折畳み可能な収納装置。
【請求項６】
請求項１記載の折畳み可能な収納装置において、前記底板左側凸壁の内側は該凸壁頂点縁より低いサイドバーで、右側凸壁の外側は該凸壁頂点縁より低いサイドバーで、該左、右側板が直立状を呈する時、該左側板の底面は該底板左側凸壁内側のサイドバーに接触し、該右側板は該底板右側凸壁外側のサイドバーに接触することを特徴とする折畳み可能な収納装置。
【請求項７】
請求項１記載の折畳み可能な収納装置において、前記頂点板左側凸壁の外側は該凸壁下縁より高いサイドバーで、その右側凸壁の内側は該凸壁下縁より高いサイドバーで、該左、右側板が直立状を呈する時、該左側板の頂点面は該頂点板左側凸壁外側のサイドバーに接触し、該右側板は該頂点右側凸壁内側のサイドバーに接触することを特徴とする折畳み可能な収納装置。
【請求項８】
請求項１記載の折畳み可能な収納装置において、前記折畳み可能な収納装置はさらに背面板を含み、該背面板は該底板、頂点板、左側板、右側板により取り囲む方形筒体の後端開口を封鎖することを特徴とする折畳み可能な収納装置。
【請求項９】
請求項８記載の折畳み可能な収納装置において、前記背面板の上、下、左、右端面には少なくとも１個の凸粒をそれぞれ設置し、該底板、頂点板、左側板、右側板上には該各凸粒の位置に相対し溝槽を設置し、対応する位置の凸粒は該溝槽に嵌入することを特徴とする折畳み可能な収納装置。
【請求項１０】
請求項１記載の折畳み可能な収納装置において、前記折畳み可能な収納装置はさらにドア板及び該ドア板の組立てに用いる２個の蝶番装置を含み、該蝶番装置は可動軸及び２個の定位ピンを含み、該２個の蝶番装置の定位ピンは該頂点板底面、該底板頂点面にそれぞれ予め設置する２個のピン孔内にそれぞれ挿入され、該２個の蝶番装置の可動軸は該ドア板内側面上、下端の槽孔内にそれぞれ嵌入することを特徴とする折畳み可能な収納装置。
【請求項１１】
請求項１記載の折畳み可能な収納装置において、前記折畳み可能な収納装置はさらに少なくとも１個の水平隔絶板と該水平隔絶板を支えるために用いる水平棒体を含み、
該左側板内側面の前、後端には係合槽をそれぞれ設置し、該水平棒体は該係合槽に嵌入固定し、該右側板内側面の前、後端には係合槽をそれぞれ設置し、該水平棒体は該係合槽に嵌入固定し、
該隔絶板は該左、右側板の内側面に対応設置する２本の水平棒体により支えられ、内部空間を上、下２部分に区画することを特徴とする折畳み可能な収納装置。
【請求項１２】
請求項１記載の折畳み可能な収納装置において、前記折畳み可能な収納装置はさらに少なくとも１個の引き出し装置と該引き出し装置を支えるために用いる水平棒体を含み、
該左側板内側面の前、後端には係合槽をそれぞれ設置し、該水平棒体は該係合槽に嵌入固定し、該右側板内側面の前、後端には係合槽をそれぞれ設置し、該水平棒体は該係合槽に嵌入固定し、
該引き出し装置は該左、右側板の内側面に対応設置する２本の水平棒体により支えられることを特徴とする折畳み可能な収納装置。
【発明の詳細な説明】
【技術分野】
【０００１】
本発明は一種の折畳み可能な収納装置に関する。特に一種の展開し直立状の箱体として物品を収納する装置とすることができ、また折畳み、扁平状とすることもでき、受け取りと保管、運搬に便利な折畳み可能な収納装置に係る。
【背景技術】
【０００２】
収納装置の内部には物品を収納可能な一定の空間が必ずあるため、収納装置は一定の体積を持つ。該収納装置の体積の大きさと内部空間の大きさには直接的な関係がある。収納装置内部の空間がより大きい時には、その体積も相対的に大きくなる。
輸送費用は、製品のコスト計算においては組み入れなければならないものである。公知の収納箱の大部分は固定した箱体の型式で、受け取り時に保管のために比較的大きな空間を必要とするため、運輸コストを上げている。公知の収納箱は小さな体積に折り畳むことができないため、運輸費用を上げており、製品のコストをも高めている。
市場には金属ネットを可動接続し形成する物入れボックスがある。それは折畳み可能で、受け取り時の体積を低下させることができるが、組み立て後にはぐらぐらし易く、構造力が弱い。しかもネットは貫通孔が大き過ぎ、秘匿性に欠ける。よって消費者使用に適した収納装置にはなり得ない。すなわち、公知の折畳み構造により形成する収納装置は構造力が劣るため、ネット式の収納ボックスにのみ運用することができる。
【発明の開示】
【発明が解決しようとする課題】
【０００３】
本発明は折畳み可能な収納装置を提供し、折り畳み扁平状とすることができ、占拠する空間を大幅に縮小可能であるため、受け取り、保管、輸送に有利である。
本発明は折畳み可能な収納装置を提供し、展開し直立形態とすることができ、物品を収納可能である。
【０００４】
本発明は折畳み可能な収納装置を提供する。
該折畳み可能な収納装置は底板、頂点板、左側板、右側板を含み、
該各板面は可動軸により方形筒体に接続され、該底板頂点面の左、右両端の前縁には上方へと突出するＴ型凸ブロックをそれぞれ設置し、該左、右側板前端面の下端には相互に対応しそれぞれＴ型嵌槽を設置し、該左、右側板が直立状を呈し前方へと移動する時、該底板の２個のＴ型凸ブロックは該左、右側板のＴ型嵌槽内に嵌入し、嵌合作用を生じ、
該頂点板底面左、右両端の前縁には下方へと突出する逆Ｔ型凸ブロックをそれぞれ設置し、該左、右側板前端面の上端には相互に対応しそれぞれ逆Ｔ型嵌槽を設置し、該左、右側板が直立状を呈し前方へと移動する時、該頂点板の２個の逆Ｔ型凸ブロックは該左、右側板の逆Ｔ型嵌槽内に嵌入し、嵌合作用を生じ、
該折畳み可能な収納装置の該底板後端両側にはそれぞれ逆Ｔ型嵌槽を設置し、該左、右側板下端面の後縁には相互に対応しそれぞれ逆Ｔ型凸ブロックを設置し、該左、右側板が直立状を呈し前方へと移動する時、該各逆Ｔ型凸ブロックは対応する逆Ｔ型嵌槽内に嵌入し、嵌合作用を拡大し、該頂点板後端両側にはそれぞれＴ型嵌槽を設置し、該左、右側板下端面の後縁には相互に対応しそれぞれＴ型凸ブロックを設置し、該左、右側板が直立状を呈し前方へと移動する時、該各逆Ｔ型凸ブロックは対応する逆Ｔ型嵌槽内に嵌入し、嵌合作用を拡大し、
該折畳み可能な収納装置は展開し直立形態を呈する時、その後端には背面板を組み立て可能で、前端にはドア板を組み立て可能で、封鎖空間を備えた収納装置を形成可能で、
該折畳み可能な収納装置内には隔絶板或いは引き出し装置を設置可能で、使用上の機能を増強することができる。
【課題を解決するための手段】
【０００５】
請求項１の発明は、折畳み可能な収納装置は底板、頂点板、左側板、右側板を含み、
該底板の頂点面の左、右両端には凸壁をそれぞれ設置し、該２個の凸壁には少なくとも１個の欠口を設置し、該欠口内には環状体を設置し、該環状体の中央は前後に貫通する孔で、該２個の凸壁の前縁には上方へと突出するＴ型凸ブロックをそれぞれ設置し、
該頂点板の底面の左、右両端には凸壁をそれぞれ設置し、該２個の凸壁は少なくとも１個の欠口を設置し、該欠口内には環状体を設置し、該環状体の中央は前後に貫通する孔で、該２個の凸壁の前縁には下方へと突出する逆Ｔ型凸ブロックをそれぞれ設置し、
該左側板上端が対応する該頂点板左側凸壁の欠口位置には、前後に延伸する軸棒を設置し、該軸棒は該欠口内の環状体中央の孔を貫通し、しかも該環状体に相対し前後移動を行い、該左側板下端が対応する該底板左側凸壁の欠口位置には、前後に延伸する軸棒を設置し、該軸棒は該欠口内の環状体中央の孔を貫通し、しかも該環状体に相対し前後移動を行い、該左側板は上下端の軸棒を軸心とし転動可能で、該左側板前端面の上端には逆Ｔ型の嵌槽を設置し、下端にはＴ型嵌槽を設置し、該左側板上端の逆Ｔ型嵌槽には、該頂点板左側の逆Ｔ型凸ブロックが嵌入し、下端の逆Ｔ型嵌槽には該底板左側のＴ型凸ブロックが嵌入し、
該右側板上端が対応する該頂点板右側凸壁の欠口位置には、前後に延伸する軸棒を設置し、該軸棒は該欠口内の環状体中央の孔を貫通し、しかも該環状体に相対し前後移動を行い、該右側板下端が対応する該底板右側凸壁の欠口位置には、前後に延伸する軸棒を設置し、該軸棒は該欠口内の環状体中央の孔を貫通し、しかも該環状体に相対し前後移動を行い、該右側板は上下端の軸棒を軸心とし転動可能で、該右側板前端面の上端には逆Ｔ型の嵌槽を設置し、下端にはＴ型嵌槽を設置し、該右側板上端の逆Ｔ型嵌槽には該頂点板右側の逆Ｔ型凸ブロックが嵌入し、下端のＴ型嵌槽には該底板右側のＴ型凸ブロックが嵌入することを特徴とする折畳み可能な収納装置としている。
請求項２の発明は、請求項１記載の折畳み可能な収納装置において、前記底板後端面の左、右両端にはそれぞれ逆Ｔ型嵌槽を設置し、該左、右側板の下端後縁には相互に対応し下方へと突出する逆Ｔ型凸ブロックをそれぞれ設置し、該左、右側板上の逆Ｔ型凸ブロックは該底板左、右の逆Ｔ型嵌槽内にそれぞれ嵌入することを特徴とする折畳み可能な収納装置としている。
請求項３の発明は、請求項１記載の折畳み可能な収納装置において、前記頂点板後端面の左、右両端にはそれぞれＴ型嵌槽を設置し、該左、右側板の上端後縁には相互に対応し上方へと突出するＴ型凸ブロックをそれぞれ設置し、該左、右側板上のＴ型凸ブロックは該頂点板左、右のＴ型嵌槽内にそれぞれ嵌入することを特徴とする折畳み可能な収納装置としている。
請求項４の発明は、請求項１記載の折畳み可能な収納装置において、前記底板、該頂点板上の各環状体上には破口をそれぞれ設置し、これにより該各環状体中央の孔と外界は連通し、該左、右側板上の各軸棒上にはサイズがより小さな扁平部をそれぞれ設置し、該扁平部は対応する環状体の破口により導入され、これにより該各軸棒は対応する環状体の孔を貫通することを特徴とする折畳み可能な収納装置としている。
請求項５の発明は、請求項１記載の折畳み可能な収納装置において、前記底板右端の凸壁は左端の凸壁よりやや高く、該頂点板右端の凸壁は左端の凸壁よりやや低く、該左側板と右側板の高さは相同で、しかも底板、頂点板、左側板、右側板の４個の可動接続軸心を連結し、平行四辺形の４個の頂点を形成することを特徴とする折畳み可能な収納装置としている。
請求項６の発明は、請求項１記載の折畳み可能な収納装置において、前記底板左側凸壁の内側は該凸壁頂点縁より低いサイドバーで、右側凸壁の外側は該凸壁頂点縁より低いサイドバーで、該左、右側板が直立状を呈する時、該左側板の底面は該底板左側凸壁内側のサイドバーに接触し、該右側板は該底板右側凸壁外側のサイドバーに接触することを特徴とする折畳み可能な収納装置としている。
請求項７の発明は、請求項１記載の折畳み可能な収納装置において、前記頂点板左側凸壁の外側は該凸壁下縁より高いサイドバーで、その右側凸壁の内側は該凸壁下縁より高いサイドバーで、該左、右側板が直立状を呈する時、該左側板の頂点面は該頂点板左側凸壁外側のサイドバーに接触し、該右側板は該頂点右側凸壁内側のサイドバーに接触することを特徴とする折畳み可能な収納装置としている。
請求項８の発明は、請求項１記載の折畳み可能な収納装置において、前記折畳み可能な収納装置はさらに背面板を含み、該背面板は該底板、頂点板、左側板、右側板により取り囲む方形筒体の後端開口を封鎖することを特徴とする折畳み可能な収納装置としている。
請求項９の発明は、請求項８記載の折畳み可能な収納装置において、前記背面板の上、下、左、右端面には少なくとも１個の凸粒をそれぞれ設置し、該底板、頂点板、左側板、右側板上には該各凸粒の位置に相対し溝槽を設置し、対応する位置の凸粒は該溝槽に嵌入することを特徴とする折畳み可能な収納装置としている。
請求項１０の発明は、請求項１記載の折畳み可能な収納装置において、前記折畳み可能な収納装置はさらにドア板及び該ドア板の組立てに用いる２個の蝶番装置を含み、該蝶番装置は可動軸及び２個の定位ピンを含み、該２個の蝶番装置の定位ピンは該頂点板底面、該底板頂点面にそれぞれ予め設置する２個のピン孔内にそれぞれ挿入され、該２個の蝶番装置の可動軸は該ドア板内側面上、下端の槽孔内にそれぞれ嵌入することを特徴とする折畳み可能な収納装置としている。
請求項１１の発明は、請求項１記載の折畳み可能な収納装置において、前記折畳み可能な収納装置はさらに少なくとも１個の水平隔絶板と該水平隔絶板を支えるために用いる水平棒体を含み、
該左側板内側面の前、後端には係合槽をそれぞれ設置し、該水平棒体は該係合槽に嵌入固定し、該右側板内側面の前、後端には係合槽をそれぞれ設置し、該水平棒体は該係合槽に嵌入固定し、
該隔絶板は該左、右側板の内側面に対応設置する２本の水平棒体により支えられ、内部空間を上、下２部分に区画することを特徴とする折畳み可能な収納装置としている。
請求項１２の発明は、請求項１記載の折畳み可能な収納装置において、前記折畳み可能な収納装置はさらに少なくとも１個の引き出し装置と該引き出し装置を支えるために用いる水平棒体を含み、
該左側板内側面の前、後端には係合槽をそれぞれ設置し、該水平棒体は該係合槽に嵌入固定し、該右側板内側面の前、後端には係合槽をそれぞれ設置し、該水平棒体は該係合槽に嵌入固定し、
該引き出し装置は該左、右側板の内側面に対応設置する２本の水平棒体により支えられることを特徴とする折畳み可能な収納装置としている。
【発明の効果】
【０００６】
本発明が提供する収納装置は、相互に可動接続する板面設計により折り畳み可能な特性を備え、取り扱い、保管、輸送に有利である。本発明は隔絶板を対応させることで、２層の空間を作り出すことができる。また、引き出し、ドアを対応させることで、より多様な使用用途を提供することができる。
【発明を実施するための最良の形態】
【０００７】
図１〜図４にしめすように、折畳み可能な収納装置は底板１０、頂点板２０、左側板３０、右側板４０を含む。該底板１０、頂点板２０、左側板３０、右側板４０は可動接続構造により相互に可動接続、結合し、方形の箱体を形成する。該底板１０、頂点板２０、左側板３０、右側板４０は相互に連結する可動接続中心を軸心とし回転動し、圧縮し扁平状とすることができる。図４に示すように、大幅に体積を縮小し、収蔵、保管、輸送に有利である。
【０００８】
図５に示すように、該底板１０の頂点面の左、右両端には凸壁１１、１２をそれぞれ設置する。該２個の凸壁１１、１２は２個の欠口１１１、１２１を設置し、該欠口１１１、１２１内には環状体１３、１４を設置する。該環状体１３、１４の中央は前後に貫通する穿孔１３１、１４１である。該２個の凸壁１１、１２の前縁には上方へと突出するＴ型凸ブロック１１２、１２２をそれぞれ設置する。
図６、７に示すように、該頂点板２０の底面の左、右両端には凸壁２１、２２をそれぞれ設置し、該２個の凸壁２１、２２は２個の欠口２１１、２２１を設置する。該欠口２１１、２２１内には環状体２３、２４を設置し、該環状体２３、２４の中央は前後に貫通する穿孔２３１、２４１である。該２個の凸壁２１、２２の前縁には下方へと突出する逆Ｔ型凸ブロック２１２、２２２をそれぞれ設置する。
【０００９】
図８に示すように、該左側板３０上端が対応する該頂点板２０左側凸壁２１の２個の欠口２１１位置には、前後に延伸する軸棒３１をそれぞれ設置する。該軸棒３１は該欠口２１１内の環状体２３中央の穿孔２３１を貫通し、しかも該環状体２３に相対し前後移動を行う。該左側板３０下端が対応する該底板１０左側凸壁１１の２個の欠口１１１位置には、前後に延伸する軸棒３２をそれぞれ設置する。該軸棒３２は該欠口１１１内の環状体１３中央の穿孔１３１を貫通し、しかも該環状体１３に相対し前後移動を行う(図９、１０参照)。該左側板３０は上下端の軸棒３１、３２を軸心とし転動可能で、これにより該左側板３０は該底板１０及び該頂点板２０と折り畳み機能を生じる。該左側板３０前端面の上端には逆Ｔ型の嵌槽３３を設置し、下端にはＴ型嵌槽３４を設置する。該左側板３０が直線状を呈する時、その上端の逆Ｔ型嵌槽３３は該頂点板２０左側の逆Ｔ型凸ブロック２１２に正対応し、その下端のＴ型嵌槽３４は該底板１０左側のＴ型凸ブロック１１２に正対応する。該左側板３０を該頂点板２０、該底板１０に相対させ前方へと移動させると、該左側板３０上端の逆Ｔ型嵌槽３３には、該頂点板２０左側の逆Ｔ型凸ブロック２１２が嵌入し、下端のＴ型嵌槽３４には該底板１０左側のＴ型凸ブロック１１２が嵌入する。
【００１０】
図１１に示すように、該右側板４０上端が対応する該頂点板２０右側凸壁２２の２個の欠口２２１位置には、前後に延伸する軸棒４１をそれぞれ設置する。該軸棒４１は該欠口２２１内の環状体２４中央の穿孔２４１を貫通し、しかも該環状体２４に相対し前後移動を行う。該右側板４０下端が対応する該底板１０右側凸壁１２の２個の欠口１２１位置には、前後に延伸する軸棒４２をそれぞれ設置する。該軸棒４２は該欠口１２１内の環状体１４中央の穿孔１４１を貫通し、しかも該環状体１４に相対し前後移動を行う(図１２、１３参照)。該右側板４０は上下端の軸棒４１、４２を軸心とし転動可能で、これにより該右側板４０は該底板１０及び該頂点板２０と折り畳み機能を生じる。該右側板４０前端面の上端には逆Ｔ型の嵌槽４３を設置し、下端にはＴ型嵌槽４４を設置する。該右側板４０が直線状を呈する時、その上端の逆Ｔ型嵌槽４３は該頂点板２０右側の逆Ｔ型凸ブロック２２２に正対応し、その下端のＴ型嵌槽４４は該底板１０右側のＴ型凸ブロック１２２に正対応する。該右側板４０を該頂点板２０、該底板１０に相対させ前方へと移動させると、該右側板４０上端の逆Ｔ型嵌槽４３には、該頂点板２０右側の逆Ｔ型凸ブロック２２２が嵌入し、下端のＴ型嵌槽４４には該底板１０右側のＴ型凸ブロック１２２が嵌入する。
【００１１】
図１４に示すように、該底板１０の後端面の左、右両端には逆Ｔ型嵌槽１１３、１２３をそれぞれ設置する。該左、右側板３０、４０の下端後縁は相対し、下方へと突出する逆Ｔ型凸ブロック３６、４６をそれぞれ設置する。該左、右側板３０、４０上の逆Ｔ型凸ブロック３６、４６はそれぞれ該底板１０左、右の逆Ｔ型嵌槽１１３、１２３内に嵌入する。図１５に示すように、該頂点板２０後端面の左、右両端には逆Ｔ型嵌槽２１３、２２３をそれぞれ設置し、該左、右側板３０、４０の上端後縁は相対し、上方へと突出するＴ型凸ブロック３５、４５をそれぞれ設置する。該左、右側板３０、４０上のＴ型凸ブロック３５、４５はそれぞれ該頂点板２０左、右のＴ型嵌槽２１３、２２３内に嵌入する。
【００１２】
該底板１０、頂点板２０、左側板３０、右側板４０は相互の連結軸心により転動可能で、直立状の方形筒体を形成し(図１、３に示す状態)、或いは折り畳み後の扁平状を形成することができる(図４に示す状態)。該左側板３０、右側板４０が転動し直立状を形成する時、該収納装置は直立状態の方形筒体を形成し、図２に示す状態となる。該左、右側板３０、４０が該底板１０、頂点板２０に相対し前方へと移動する時には、該底板１０前端の左、右逆Ｔ型凸ブロック１１２、１２２は該左、右側板３０、４０前縁下端のＴ型嵌槽３４、４４内にそれぞれ嵌入する。
該頂点板２０前端の左、右逆Ｔ型凸ブロック２１２、２２２は該左、右側板３０、４０前縁上端の逆Ｔ型嵌槽３３、４３内にそれぞれ嵌入する。
該左、右側板３０、４０後縁下端の逆Ｔ型凸ブロック３６、４６は該底板１０後端面の左、右逆Ｔ型嵌槽１１３、１２３内にそれぞれ嵌入する。
該左、右側板３０、４０後縁下端のＴ型凸ブロック３５、４５は該頂点板２０後縁面左、右のＴ型嵌槽２１３、２２３内にそれぞれ嵌入し、該収納装置は折り畳み不能の方形筒体を形成する(図１参照)。
【００１３】
該方形筒体を折り畳み収蔵しようとする時には、先ず該左、右側板３０、４０を該底板１０、頂点板２０に相対し後方へと移動させ、これにより該Ｔ型凸ブロック１１２、１２２、３５、４５、該逆Ｔ型凸ブロック２１２、２２２、３６、４６は対応するＴ型嵌槽３４、４４、２１３、２２３、逆Ｔ型嵌槽１１３、１２３、３３、４３から退出し、図２に示す状態となる。こうして該頂点板２０を左へと移動させることができ、該左、右側板３０、４０を連動し、下端の軸棒３２、４２を軸心とし転動させ、扁平に寝かした状態とする。同時に該頂点板２０は該左側板３０の上方に接し、こうして収納装置は扁平状に折り畳まれる(図４参照)。
【００１４】
該底板１０頂点面右端の凸壁１２は左端の凸壁１１よりやや高く、該頂点板２０底面右端の凸壁２２は左端の凸壁２１よりやや高い。このため、該収納装置を扁平状に折り畳む時には、該底板１０頂点面左端の凸壁１１は該左側板３０の折り畳みを阻害することはなく、該頂点板２０底面右端の凸壁２２は該右側板４０を圧迫することはない。該左側板３０と該右側板４０の高さは相同で、しかも該底板１０、該頂点板２０、該左側板３０、該右側板４０を連結する４個の可動接続軸棒３１、３２、４２、４１は平行四辺形の４個の頂点を形成する。該収納装置の折り畳み過程と折り畳み完成後、該底板１０、該頂点板２０は共に水平状態を保持する。該底板１０、該頂点板２０両側の凸壁１１、１２、２１、２２の高度設計を運用し、該左、右板３０、４０は折り畳み完成後にも水平状で、こうして該収納装置折り畳み後の厚みは比較的薄くなる。
【００１５】
該底板１０左側凸壁１１、右側凸壁１２の頂点縁は共に突起した弧状である。該左側凸壁１１の内側は該凸壁１１頂点縁より低いサイドバー１１４である。該右側凸壁１２の外側は該凸壁１２頂点縁より低いサイドバー１２４である。該左、右側板３０、４０が右に転動し直立状となる時、該左側板３０の底面３８は該底板１０左側凸壁１１内側のサイドバー１１４に接触し、該右側板４０の底面４８は該底板１０右側凸壁１２外側のサイドバー１２４に接触し、右へと継続し転動することはできない。該頂点板２０左側凸壁２１の外側は該凸壁２１底縁より高いサイドバー２１４で、該頂点板２０右側凸壁２２の内側は該凸壁２２より高いサイドバー２２４である。該左、右側板３０、４０が右へと転動し直立状を呈する時、該左側板３０の頂点面３７は該頂点板２０左側凸壁２１外側のサイドバー２１４に接触し、該右側板４０の頂点面４７は該頂点板２０右側凸壁２２内側のサイドバー２２４に接触し、右へと継続し転動することはできない。こうして該収納装置は展開操作において、転動を続けることができない位置まで転動すると、それは定位が達成されたことを意味する。よって、該左、右側板３０、４０は左へと転動すれば扁平に寝た状態となり、右へと転動すれば直立状となる。
【００１６】
該底板１０、該頂点板２０上の各環状体１３、１４、２３、３４上には破口１３２、１４２、２３２、２４２をそれぞれ設置し、該各環状体１３、１４中央の穿孔１３１、１４１、２３１、２４１と外界は連通する。該左、右側板３０、４０上の各軸棒３１、３２、４１、４２上にはサイズがより小さな扁平部３１１、３２１、４１１、４２１をそれぞれ設置し、該扁平部３１１、３２１、４１１、４２１は対応する環状体２３、１３、２４、１４の破口２３２、１３２、２４２、１３２により導入され、こうして該各軸棒３１、３２、４１、４２は対応する環状体２３、１３、２４、１４の穿孔２３１、１３１、２４１、１４１を貫通する。
【００１７】
図１に示すように、収納装置の背面には背面板５０を加えることができる。これにより後端の開口を封鎖し、箱型収納装置を形成する(図１６参照)。
図１７に示すように、該背面板５０の上、下、左、右端面には凹面５１、５２、５３、５４をそれぞれ設置する。該各凹面５１、５２、５３、５４内には２個の凸粒５１１、５２１、５３１、５４１をそれぞれ設置する。該底板１０、該頂点板２０、該左側板３０、該右側板４０内側面は該背面板５０の各凹面５１、５２、５３、５４の位置に対応し、突出状の溝槽装置１５、２５、３９、４９を設置する(図１９参照)。該溝槽装置１５、２５、３９、４９はちょうど該背面板５０の各凹面５２、５１、５３、５４内に対応し嵌入され、しかも該凸粒５２１、５１１、５３１、５４１は該溝槽装置１５、２５、３９、４９が設置する溝槽１５１、２５１、３９１、４９１内に嵌入する。図１８は該背面板５０と該底板１０、該頂点板２０の係合状態の断面図である。
【００１８】
図２０に示すように、図１６に示す収納装置の前端にはドア板６０を設置し、封鎖空間を備える収納装置を形成する。
図２１、２２に示すように、該ドア板６０は２個の蝶番装置６１、６１により該収納装置上において組み立てられ、該蝶番装置６１は可動軸６１１と２個の定位ピン６１２、６１２を含む。該頂点板２０上には２個のピン孔２６、２６を設置し、これに該蝶番装置６１の２個の定位ピン６１２、６１２は挿入され、該底板１０上には２個のピン孔１６、１６を設置し、これに該蝶番装置６１の２個の定位ピン６１２、６１２は挿入される。該２個の蝶番装置６１、６１の可動軸６１１、６１１は該ドア板６０内側面上下端の槽孔６２、６２内に係合入され、これにより該ドア板６０は上下２２個の蝶番装置６１、６１の可動軸６１１、６１１を軸心とし転動し、こうして該ドア板６０を開け、或いは該ドア板６０を閉める。
【００１９】
前記収納装置内には少なくとも１個の隔絶板７０を設置することができ、これにより内部空間は２層以上に区画される（図２３参照）。図８に示すように、該左側板３０内側面の前後端には、対応形態で、少なくとも１個の係合槽３０１、３０１をそれぞれ設置し、図２４に示す水平棒７１を嵌入する。該係合槽３０１の内壁面には凸バー３０２を設置し、該水平棒体７１の嵌入端には相互に対応し凹槽７２を設置する。該水平棒体７１の前後端が対応する２個の係合槽３０１、３０１内に嵌入する時、該係合槽３０１、３０１内の凸バー３０２、３０２により該水平棒体７１の凹槽７２、７２内に嵌入し、該水平棒体７１を該左側板３０の内側面上に固定する。該右側板４０内側面の前後端には、対応形態で、少なくとも１個の係合槽４０１、４０１をそれぞれ設置し(図１９参照)、別の水平棒７１を嵌入し固定する。該係合槽４０１の内壁面には凸バー４０２を設置し、該水平棒体７１の嵌入端には相互に対応し凹槽７２を設置する。該水平棒体７１の前後端が対応する該係合槽４０１、４０１内に嵌入する時、該係合槽４０１内の凸バー４０２により該水平棒体７１の凹槽７２内に嵌入し、該水平棒体７１を該右側板４０の内側面上に固定する。該隔絶板７０は該左、右側板３０、４０の内側面に対応設置する２本の水平棒体７１、７１により支えられ、内部空間は上下２部分に区画される。
図２５に示すように、前記の収納装置の内部空間には引き出し装置８０を設置することができ、該引き出し装置８０は該左、右側板３０、４０の内側面に対応設置する２本の水平棒体７１、７１により支えられる(図２６参照)。
【００２０】
本発明が提供する収納装置は、相互に可動接続する板面設計により折り畳み可能な特性を備え、取り扱い、保管、輸送に有利である。本発明は隔絶板を対応させることで、２層の空間を作り出すことができる。また、引き出し、ドアを対応させることで、より多様な使用用途を提供することができる。
【図面の簡単な説明】
【００２１】
【図１】本発明実施例の外観図である。
【図２】図１に示す実施例中の左、右側板と底板、頂点板を少しずつずらした状態図である。
【図３】図１に示す実施例の断面図である。
【図４】図１に示す実施例を折畳み扁平状にした断面図である。
【図５】底板の外観図である。
【図６】頂点板の外観図である。
【図７】図６に示す頂点板を１８０度反転させた後の外観図である。
【図８】左側板の外観図である。
【図９】左側板と頂点板の少しずつずらした状態を示す図である。
【図１０】左側板と頂点板が挿合状態を呈する図である。
【図１１】右側板の外観図である。
【図１２】右側板と底板の少しずつずらした状態を示す図である。
【図１３】右側板と底板が挿合状態を呈する図である。
【図１４】底板の別の角度の外観図である。
【図１５】頂点板の別の外観図である。
【図１６】図１に示す実施例に背面板を加える外観図である。
【図１７】背面板の外観図である。
【図１８】背面板組立て完成後の断面図である。
【図１９】右側板の別の角度の外観図である。
【図２０】図１６に示す実施例にドア板を加える外観図である。
【図２１】ドア板組立て構造の分解図である。
【図２２】ドア板組立て完成後の外観図である。
【図２３】図１６に示す実施例に隔絶板を加える外観図である。
【図２４】図２３中の水平棒体の外観図である。
【図２５】図１６に示す実施例に引き出し装置を加える外観図である。
【図２６】図２５中にまだ引き出し装置が加えられていない外観図である。
【符号の説明】
【００２２】
１０  底板
１１  凸壁
１１１  欠口
１１２  Ｔ型凸ブロック
１１３  逆Ｔ型嵌槽
１１４  サイドバー
１２  凸壁
１２１  欠口
１２２  Ｔ型凸ブロック
１２３  逆Ｔ型嵌槽
１２４  サイドバー
１３  環状体
１３１  穿孔
１３２  破口
１４  環状体
１４１  穿孔
１４２  破口
１５  溝槽装置
１５１  溝槽
１６  ピン孔
２０  頂点板
２１  凸壁
２１１  欠口
２１２  逆Ｔ型凸ブロック
２１３  Ｔ型嵌槽
２１４  サイドバー
２２  凸壁
２２１  欠口
２２２  逆Ｔ型凸ブロック
２２３  Ｔ型嵌槽
２２４  サイドバー
２３  環状体
２３１  穿孔
２３２  破口
２４  環状体
２４１  穿孔
２４２  破口
２５  溝槽装置
２５１  溝槽
２６  ピン孔
３０  左側板
３１  軸棒
３１１  扁平部
３２  軸棒
３２１  扁平部
３３  逆Ｔ型嵌槽
３４  Ｔ型嵌槽
３５  Ｔ型凸ブロック
３６  逆Ｔ型凸ブロック
３７  頂点面
３８  底面
３９  溝槽装置
３９１  溝槽
３０１  係合槽
３０２  凸バー
４０  右側板
４１  軸棒
４１１  扁平部
４２  軸棒
４２１  扁平部
４３  逆Ｔ型嵌槽
４４  Ｔ型嵌槽
４５  Ｔ型凸ブロック
４６  逆Ｔ型凸ブロック
４７  頂点面
４８  底面
４９  溝槽装置
４９１  溝槽
４０１  係合槽
４０２  凸バー
５０  背面板
５１  凹面
５１１  凸粒
５２  凹面
５２１  凸粒
５３  凹面
５３１  凸粒
５４  凹面
５４１  凸粒
６０  ドア板
６１  蝶番装置
６１１  可動軸
６１２  定位ピン
６２  槽孔
７０  隔絶板
７１  水平棒体
７２  凹槽
８０  引き出し装置
【図１】
2009120250.tif 000003
【図２】
2009120250.tif 000004
【図３】
2009120250.tif 000005
【図４】
2009120250.tif 000006
【図５】
2009120250.tif 000007
【図６】
2009120250.tif 000008
【図７】
2009120250.tif 000009
【図８】
2009120250.tif 000010
【図９】
2009120250.tif 000011
【図１０】
2009120250.tif 000012
【図１１】
2009120250.tif 000013
【図１２】
2009120250.tif 000014
【図１３】
2009120250.tif 000015
【図１４】
2009120250.tif 000016
【図１５】
2009120250.tif 000017
【図１６】
2009120250.tif 000018
【図１７】
2009120250.tif 000019
【図１８】
2009120250.tif 000020
【図１９】
2009120250.tif 000021
【図２０】
2009120250.tif 000022
【図２１】
2009120250.tif 000023
【図２２】
2009120250.tif 000024
【図２３】
2009120250.tif 000025
【図２４】
2009120250.tif 000026
【図２５】
2009120250.tif 000027
【図２６】
2009120250.tif 000028